(57)【要約】【課題】  柱と梁との取り付け強度が高い建築構造体を安価に提供する。【解決手段】  本発明の建築構造体１は、柱３と、柱３に端面を当接する梁５と、柱３と梁５を繋ぐブラケット７とを備え、ブラケット７は上壁１５と下壁１７と垂直壁１９とで断面略コ字形状を成すブラケット本体２１と、上壁１５と下壁１７と垂直壁１９に各々固定してブラケット本体２１の左右端面に各々設けた補強用側板２３とを有し、ブラケット７の上壁１５と梁５の上壁２９とを高力ボルト４５とナット４７で固定し、ブラケット７の下壁１７と梁５の下壁３１とを高力ボルト４９とナット５１で固定し、ブラケット７の垂直壁１９と柱３の垂直壁３ａとを高力ボルト４１とナット４３で固定してある。【選択図】      図１
2005180093.tif 000002
【特許請求の範囲】
【請求項１】
柱と、柱に端面を当接する梁と、柱と梁を繋ぐブラケットとを備え、ブラケットは上壁と下壁と垂直壁とで断面略コ字形状を成すブラケット本体と、上壁と下壁と垂直壁に各々固定してブラケット本体の左右端面に各々設けた補強用側板とを有し、ブラケットの上壁と梁の上壁とを高力ボルトとナットで固定し、ブラケットの下壁と梁の下壁とを高力ボルトとナットで固定し、ブラケットの垂直壁と柱の垂直壁とを高力ボルトとナットで固定してあることを特徴とする建築構造体。
【請求項２】
梁は上下左右壁を有する断面略矩形であり、上壁が下壁よりも長く、ブラケットは上壁が下壁よりも短く、ブラケットの上壁の先端は梁の下壁の先端よりも柱側に位置し、梁の上壁の下面にブラケットの上壁が当接し、梁の下壁の下面にブラケットの下壁が当接しており、ブラケットの上壁の下面及び梁の下壁の上面に、高力ボルトの頭部又はナットを予め固定していることを特徴とする請求項１に記載の建築構造体。
【請求項３】
梁は上下左右壁を有する断面略矩形であり、下壁が上壁よりも長く、ブラケットは下壁が上壁よりも短く、ブラケットの下壁の先端は梁の上壁の先端よりも柱側に位置し、梁の上壁の上面にブラケットの上壁が当接し、梁の下壁の上面にブラケットの下壁が当接しており、ブラケットの下壁の上面及び梁の上壁の下面に、高力ボルトの頭部又はナットを予め固定していることを特徴とする請求項１に記載の建築構造体。
【発明の詳細な説明】
【技術分野】
【０００１】
本発明は、柱に梁を固定した建築構造体に関する。
【背景技術】
【０００２】
特許文献１には、上壁と下壁と垂直壁とで断面略コ字形状に成したブラケットの垂直壁を柱にボルトとナットで固定し、上壁と下壁に梁をボルトとナットで固定する技術が開示されている。
【０００３】
【特許文献１】特開２００３−３０１５１２号公報
【発明の開示】
【発明が解決しようとする課題】
【０００４】
しかし、特許文献１の技術のように断面略コ字形状のブラケットを用いた構造では、ブラケットに対して大きな負荷がかかる大型の柱と梁を有する建築構造物には強度的に不向きであった。
【０００５】
そこで、本発明は、柱と梁との取り付け強度が高い建築構造体を安価に提供することを目的とする。
【課題を解決するための手段】
【０００６】
請求項１に記載の発明は、柱と、柱に端面を当接する梁と、柱と梁を繋ぐブラケットとを備え、ブラケットは上壁と下壁と垂直壁とで断面略コ字形状を成すブラケット本体と、上壁と下壁と垂直壁に各々固定してブラケット本体の左右端面に各々設けた補強用側板とを有し、ブラケットの上壁と梁の上壁とを高力ボルトとナットで固定し、ブラケットの下壁と梁の下壁とを高力ボルトとナットで固定し、ブラケットの垂直壁と柱の垂直壁とを高力ボルトとナットで固定してあることを特徴とする。
【０００７】
請求項２に記載の発明は、請求項１に記載の発明において、梁は上下左右壁を有する断面略矩形であり、上壁が下壁よりも長く、ブラケットは上壁が下壁よりも短く、ブラケットの上壁の先端は梁の下壁の先端よりも柱側に位置し、梁の上壁の下面にブラケットの上壁が当接し、梁の下壁の下面にブラケットの下壁が当接しており、ブラケットの上壁の下面及び梁の下壁の上面に、高力ボルトの頭部又はナットを予め固定していることを特徴とする。
【０００８】
請求項３に記載の発明は、請求項１に記載の発明において、梁は上下左右壁を有する断面略矩形であり、下壁が上壁よりも長く、ブラケットは下壁が上壁よりも短く、ブラケットの下壁の先端は梁の上壁の先端よりも柱側に位置し、梁の上壁の上面にブラケットの上壁が当接し、梁の下壁の上面にブラケットの下壁が当接しており、ブラケットの下壁の上面及び梁の上壁の下面に、高力ボルトの頭部又はナットを予め固定していることを特徴とする。
【発明の効果】
【０００９】
請求項１に記載の発明によれば、ブラケットの垂直壁と上壁と下壁とには補強用側板を固定して、荷重に対するブラケットの強度を高めているので、柱と梁との取り付け強度を高めることができる。
しかも、ブラケットは断面略コ字形状のブラケット本体に補強用側板を取り付けるだけであるから、安価である。
請求項２に記載の発明によれば、請求項１に記載の発明と同様な効果を奏するとともに、梁は上壁が下壁よりも長く、ブラケットは上壁が下壁よりも短く、且つブラケットの上壁の先端は梁の下壁の先端よりも柱側に位置しているので、例えば、クレーンで吊り上げた梁を、ブラケットの上方から降ろすようにして、梁の上壁の下面にブラケットの上壁を当接し、梁の下壁の下面にブラケットの下壁を当接することができ、梁の内側にブラケットを挿入する操作が必要ないので施工性が良い。しかも、梁をブラケットに載置した状態で梁とブラケットとの固定作業ができ、作業がしやすい。
また、断面略矩形の梁をブラケットに固定する場合において、ブラケット及び梁の所定箇所には、高力ボルトの頭部又はナットを予め固定しているので、ブラケットに梁を固定する際には梁の外側から高力ボルト又はナットを締め付けるだけで済み、この点においても施工性が良い。
請求項３に記載の発明によれば、請求項１に記載の発明と同様な効果を奏するとともに、梁は下壁が上壁よりも長く、ブラケットは下壁が上壁よりも短く、且つブラケットの下壁の先端は梁の上壁の先端よりも柱側に位置しているので、例えば、クレーンで吊り下げた梁を、梁の端面がブラケットの真下にくるように位置を調節した後、ブラケットの真下から上げて、梁の上壁の上面にブラケットの上壁を当接し、梁の下壁の上面にブラケットの下壁を当接することができ、梁の内側にブラケットを挿入する操作が必要ないので施工性が良い。
また、断面略矩形の梁をブラケットに固定する場合において、ブラケット及び梁の所定箇所には、高力ボルトの頭部又はナットを予め固定しているので、ブラケットに梁を固定する際には梁の外側から高力ボルト又はナットを締め付けるだけで済み、この点においても施工性が良い。
【発明を実施するための最良の形態】
【００１０】
以下に、添付図面を参照して本発明の実施の形態を説明する。図１は第１実施の形態にかかる建築構造体の図であり、（ａ）は図３に示すＡ―Ａ断面図であり、（ｂ）は図３に示すＢ―Ｂ断面図であり、図２は図３に示すＣ―Ｃ断面図であり、図３は第１実施の形態にかかる構造体を上から見た平面図である。
本発明の第１実施の形態にかかる建築構造体１は、カーポートに用いられているものであり、柱３と、柱３に端面を当接する梁５と、柱３と梁５を繋ぐブラケット７とを備えている。
柱３は、横断面矩形であり、矩形の四隅にはそれぞれ上下方向にネジ孔１１が形成されている。柱３の下端面はベースプレート９の上面に当接してあり、ベースプレート９の下面側から各ネジ孔１１に螺合した高力ボルト１３でベースプレート９に固定されている。
ブラケット７はブラケット本体２１と補強用側板２３とから構成されており、ブラケット本体２１は上壁１５と下壁１７と垂直壁１９とで断面略コ字形状を成している。ブラケット本体２１には上壁１５と下壁１７と垂直壁１９とのそれぞれには水平方向のネジ孔２５が形成されている。
ブラケット本体２１の垂直壁１９から突設する上壁１５と下壁１７の水平方向の長さは上壁１５が下壁１７よりも短くなっており、ブラケット本体２１の上壁１５の先端は梁５の下壁３１（後述する）の先端よりも柱３側に位置している。
補強用側板２３は、ブラケット本体２１の左右端面の各々に設けてあり、各補強用側板２３はネジ２７でブラケット本体２１のネジ孔２５に固定されている。
梁５は、上壁２９、下壁３１、左右壁３３とから構成された断面略矩形であり、上壁２９が下壁３１よりも長い。また、梁の上壁２９と下壁３１との長さの差はブラケット７の上壁１５と下壁１７の寸法差と略同じ寸法になっている。
ブラケット本体２１は、垂直壁１９を柱３の垂直壁３ａに高力ボルト４１とナット４３で固定してあり、本実施の形態ではブラケット本体２１は上下２箇所の高力ボルト４１とナット４３で固定している。
ブラケット７の上壁１５の上面には、梁５の上壁２９が当接しており、ブラケット７の下壁１７の上面には梁５の下壁３１が当接している。
ブラケット７の上壁１５と梁７の上壁２９とは高力ボルト４５とナット４７で固定してある。ナット４７は予めブラケット７の上壁１５の下面に固定してあり、高力ボルト４５は梁５の外側上方向から下方に向けて螺合してある。
ブラケット７の下壁１７と梁５の下壁３１とは高力ボルト４９とナット５１で固定してある。ナット５１は梁５の下壁３１の上面に予め固定してあり、高力ボルト４９は梁５の外側下方向から上方に向けて螺合してある。
【００１１】
次に、本実施の形態にかかる建築構造体１の施工及び作用効果について説明する。
建築構造体１の施工は、ベースプレート９の上面に柱３の下端面を当接して、ベースプレート９の下面側から高力ボルト１３で柱のネジ孔１１に螺合して、ベースプレート９に柱３を固定する。高力ボルト１３は柱３の軸方向に螺合して取り付けているから、柱３とベースプレート９を剛接合できる。
そして、ベースプレート９をアンカーでベースに固定した後、柱３に梁５を固定する。
柱３と梁５の固定は、柱３の垂直壁３ａに座板５１を介してブラケット本体２１の垂直壁１９を高力ボルト４１とナット４３で固定し、補強用側板２３をブラケット本体２１の両端面にネジ２７で固定する。補強用側板２３はネジ２７の締め付けによりブラケット本体２１に容易に取り付けることができる。
次に、ブラケット７の上壁１５と下壁１７とに梁５の端を載せるが、梁５は上壁２９が下壁３１よりも長くしてあり且つブラケット７の上壁１５を下壁１７よりも短くしているので、例えば、クレーン等で梁５を引き上げた後、梁５を降ろしながら梁５を上方からブラケット７へ降ろすようにして、ブラケット７に梁５を載置するとともに梁の上壁１５をブラケットの上壁１５上面に当接し、同時に梁５の下壁１７をブラケット７の下壁１７の上面に当接する。梁５はブラケット７の上方から下に降ろすようにしてブラケット７に載置することができるので、ブラケット７の上に梁５の端面がくるように位置を合わせするだけで済み、梁の内側にブラケットを挿入する操作が必要ないので施工が容易である。
ブラケット７と梁５との固定は、予めブラケット７の上壁１５に固定してあるナット４７に梁５の外側から高力ボルト４５を締め付けて固定し、予め梁５の下壁３１に固定してあるナット５１に梁５の外側から高力ボルト４９を締め付けて固定する。
しかも、梁５をブラケット７に載置した状態で梁５とブラケット７との固定作業ができ、作業性が良い。
ブラケット７と梁５の固定は、ブラケット７の上壁１５の下面にナット４７及び梁５の下壁３１の上面にナット５１を予め固定しているので、ブラケット７に梁５を固定する際には梁５の外側から高力ボルト４５、４９を締め付けるだけで済み、固定作業が簡単である。
本実施の形態によれば、梁５の荷重を受けるブラケット７には、上壁１５と下壁１７と垂直壁１９とに補強用側板２３を取り付けてブラケットの強度を高めているので、柱３と梁５との取り付け強度を高めることができる。しかも、ブラケット７は断面略コ字形状のブラケット本体２１に補強用側板２３を取り付けるだけであるから、安価である。
また、柱３と梁５との固定に溶接を伴なわずに、高力ボルトとナットによる締め付けだけで固定するので、施工が容易である。
【００１２】
次に、図４を参照して、本発明の第２実施の形態を説明する。尚、以下に説明する実施の形態では、上述した実施の形態と同一の作用効果を奏する部分には同一の符号を付することにより、その部分の詳細な説明を省略し、第１実施の形態と異なる点を主に説明する。
第２実施の形態では、ブラケット７の上壁１５が下壁１７よりも長くしてあり、梁５の下壁３１を上壁２９よりも長くしてあり、且つブラケット７の下壁１７の先端は梁５の上壁２９の先端よりも柱３側に位置している。換言すれば、ブラケット７及び梁５をそれぞれ第１実施の形態において上下逆さにして取り付けたものである。
そして、施工時には梁５をブラケット７の下方から上方に上げて、ブラケット７の上壁１５の下面に梁の上壁２９を当接して高力ボルト４５とナット４７で固定してあり、ブラケット７の下壁１７の下面に梁の下壁３１を当接して高力ボルト４９とナット５１で固定したものである。
この第２実施の形態によれば、上述した第１実施の形態と同様に、柱３と梁５との取り付け強度が高く且つ安価であるとともに、例えば、クレーンで吊り下げた梁５をブラケット７の下方から上げて、梁５の上壁２９の上面にブラケット７の上壁１５を当接し、梁５の下壁３１の上面にブラケット７の下壁１７を当接して配置でき、梁の内側にブラケットを挿入する操作が必要ないので施工性が良い。
本発明は、上述した実施の形態に限らず、本発明の要旨を逸脱しない範囲で種々変形可能である。
例えば、第１実施の形態において、ブラケット７に予め固定するナット４７や梁５に予め固定するナット４１に換えて、ブラケット７の上壁１５下面に高力ボルト４５の頭を予め固定しておき、梁５に高力ボルト４５の軸を挿通して、梁５の外側からナット４７を締め付けて固定するものであってもよい。同様に梁５の下壁３１に予め固定するナット５１に換えて高力ボルト４９の頭を固定するものであってもよい。
柱３の垂直壁３ａとブラケット７の垂直壁１９との間に座板５１を設けなくてもよい。
柱３は断面矩形に限らず、例えばＨ型鋼であってもよい。
連結構造体１は、家屋の骨組みやビルの骨組みであってもよい。
【図面の簡単な説明】
【００１３】
【図１】第１実施の形態にかかる建築構造体の図であり、（ａ）は図３に示すＡ―Ａ断面図であり、（ｂ）は図３に示すＢ―Ｂ断面図である。
【図２】図３に示すＣ―Ｃ断面図である。
【図３】第１実施の形態にかかる構造体を上から見た平面図である。
【図４】第２実施の形態にかかる建築構造体の図であり、建築構造体を図１（ａ）と同じ位置で切断した断面図である。
【符号の説明】
【００１４】
１      建築構造体
３      柱
３ａ    垂直壁
５      梁
７      ブラケット
１５    上壁（ブラケットの上壁）
１７    下壁（ブラケットの下壁）
１９    垂直壁（ブラケットの下壁）
２１    ブラケット本体
２３    補強用側板
２９    上壁（梁の上壁）
３１    下壁（梁の下壁）
３３    左壁（右壁）
４１、４５、４９    高力ボルト
４３、４７、５１    ナット
【図１】
2005180093.tif 000003
【図２】
2005180093.tif 000004
【図３】
2005180093.tif 000005
【図４】
2005180093.tif 000006